(57)【要約】【課題】  眼鏡装用時にツル８と干渉することなく、快適な聴取を長時間行うことができるヘッドホン１を提供する。  【解決手段】  スピーカーユニット２を内蔵するハウジング３と、耳殻の付け根部（ＺＴ）に沿うように、耳殻の付け根部（ＺＴ）の前頭部側（Ａ）から頭頂側（Ｂ），後頭側（Ｃ）を経て首側（Ｄ）まで至る湾曲した形状をしたイヤーハンガー５と、ハウジング３及びイヤーハンガー５を連結する連結部６とを備え、イヤーハンガー５は、ハウジング３の放音部側となる面に開口し、前頭部（Ａ）と頭頂部（Ｂ）との間及び頭頂部（Ｂ）と後頭部（Ｃ）との間に、それぞれ形成された溝部９と、それぞれの溝部９におけるハウジング３から遠い側の縁部に、ハウジング３側に突出した突出部１０とを有している。【選択図】      図１
2009060348.tif 000002
【特許請求の範囲】
【請求項１】
スピーカーユニットを内蔵するハウジングと、
耳殻の付け根部の前頭部（ア），頭頂部（イ），後頭部（ウ）及び首近接部（エ）に沿って、各部位に対応した前頭部（Ａ），頭頂部（Ｂ），後頭部（Ｃ）及び首近接部（Ｄ）を有する湾曲形状に形成されたイヤーハンガーと、
前記ハウジング及び前記イヤーハンガーを連結する連結部と、を備え、
前記イヤーハンガーは、
前記ハウジングの放音部側となる面に開口し、前記前頭部（Ａ）と前記頭頂部（Ｂ）との間及び前記頭頂部（Ｂ）と前記後頭部（Ｃ）との間に、それぞれ形成された第１の溝部及び第２の溝部と、
前記第１の溝部及び前記第２の溝部における前記ハウジングから遠い側の縁部に、前記ハウジング側に突出した突出部と、
を有していることを特徴とするヘッドホン。
【請求項２】
前記第１の溝部の開口幅よりも、前記第２の溝部の開口幅の方が広く、前記第２の溝部の開口幅が前記ハウジングから離れるに従って広がっていることを特徴とする請求項１記載のヘッドホン。
【請求項３】
前記第１の溝部及び前記第２の溝部は、眼鏡のツルを収容可能なえぐれ形状を有することを特徴とする請求項１又は請求項２記載のヘッドホン。
【発明の詳細な説明】
【技術分野】
【０００１】
本発明は、ヘッドホンに係り、特に、眼鏡の使用時に良好な装着感の得られる耳掛け式のヘッドホンに関する。
【背景技術】
【０００２】
近年の携帯オーディオ端末の普及に伴い、その端末にヘッドホンを接続して個人で音楽等を聴取する機会が増えている。
一般に携帯を前提にして作られたヘッドホンには、イヤホン，インナーイヤーヘッドホン，耳掛け式ヘッドホンと呼称されているものがある。この中で、耳掛け式ヘッドホンは、ヘッドバンドが無く、耳殻の付け根部に沿うように湾曲した形状をしたイヤーハンガーを用いて、スピーカーユニットを内蔵するハウジングを耳殻に押当する構造になっているため、可搬性に優れ、且つイヤホン及びインナーイヤーヘッドホンと比較して大口径のスピーカーユニットを搭載できる。
一方、ヘッドホンは眼鏡の使用を前提に設計されていないため、メガネやサングラス等の眼鏡の装用者はヘッドホン使用時に、ツルとヘッドホンが重なり合ってしまい、頭部又は耳部が圧迫されるため、長時間快適な聴取をすることができない場合があった。
眼鏡の装用時においても、快適に聴取を行うことのできるヘッドホンが、特許文献１に記載されている。
【０００３】
特許文献1には、眼鏡等を装用した状態で使用可能な、Ｕ字状のヘッドバンドの両端にスピーカーユニットを納めたハウジングを取付け、そのハウジングが耳殻全体を覆うようにして用いるヘッドバンド式のヘッドホンに関して記載されている。
このヘッドホンは、スピーカーユニットを納めたハウジングの音孔部を囲むように取付けられたイヤーパッドの眼鏡等と干渉する部分を切り欠き、眼鏡のツルがヘッドホンによって圧迫されない構造になっている。そのため、眼鏡を装用した状態で、快適な聴取を行うことができるとされている。
【０００４】
【特許文献１】特開２００２−１０１４８３号公報
【発明の開示】
【発明が解決しようとする課題】
【０００５】
しかしながら、特許文献１に記載されているヘッドホンは、ヘッドバンドを利用している点とハウジングが耳殻全体を覆う形状を有する点で、携帯オーディオ端末と共に屋外などに持ち出すには、かさばるという不都合があった。
また、耳掛け式のヘッドホンは、イヤーパッドが耳殻全体を覆っていないため、イヤーパッドを切り欠くという特許文献１に記載されている技術は利用できない。つまり、耳掛け式のヘッドホンのイヤーパッドは耳殻上に載るものであり、耳殻の付け根部に沿うように装用されるツルは、耳掛け式のヘッドホンを固定するために同所に形成されたイヤーハンガー部と重なり合ってしまうという問題を回避できなかった。
結果として、眼鏡装用時に耳掛け式ヘッドホンを使用すると、頭部及び耳部への不快な圧迫が発生するため、改善の要望があった。
【０００６】
そこで、本発明は、眼鏡装用時に頭部及び耳部への不快な圧迫が無く、音楽等の聴取を長時間快適に行うことができる、耳掛け式ヘッドホンを提供することを目的とする。
【課題を解決するための手段】
【０００７】
上記の課題を解決するために、本発明は次の１）乃至３）の構成を有する
１）  スピーカーユニット２を内蔵するハウジング３と、耳殻の付け根部（ＺＴ）の前頭部（ア），頭頂部（イ），後頭部（ウ）及び首近接部（エ）に沿って、各部位に対応した前頭部（Ａ），頭頂部（Ｂ），後頭部（Ｃ）及び首近接部（Ｄ）を有する湾曲形状に形成されたイヤーハンガー５と、ハウジング３及びイヤーハンガー５を連結する連結部６とを備え、イヤーハンガー５は、ハウジング３の放音部側となる面に開口し、前頭部（Ａ）と頭頂部（Ｂ）との間及び頭頂部（Ｂ）と後頭部（Ｃ）との間に、それぞれ形成された第１の溝部９ａ及び第２の溝部９ｂと、第１の溝部９ａ及び第２の溝部９ｂにおけるハウジング３から遠い側の縁部に、ハウジング３側に突出した突出部１０とを有していることを特徴とするヘッドホン１。
２）  第１の溝部９ａの開口幅よりも、第２の溝部９ｂの開口幅の方が広く、第２の溝部９ｂの開口幅がハウジング３から離れるに従って広がっていることを特徴とする１）に記載のヘッドホン１。
３）  第１の溝部９ａ及び第２の溝部９ｂは、眼鏡のツル８を収容可能なえぐれ形状を有することを特徴とする１）又は２）に記載のヘッドホン１。
【発明の効果】
【０００８】
本発明によれば、眼鏡を併用する場合に頭部及び耳部への不快な圧迫が無く、音楽等の聴取を長時間快適に行うことができる。
【発明を実施するための最良の形態】
【０００９】
以下に、本発明に係るヘッドホンの実施例について、図面を参照して詳細に説明する。
図１は、本発明のヘッドホンの１実施例を示す外観図であり、図１(ａ)が正面図、図１(Ｂ)が左側面図、図１(ｃ)が右側面図である。図２は、本発明のヘッドホンとツルとの関係を示す図である。図３は、本発明のヘッドホンを耳に装着した際の頭部の側面から見た図である。図４は、本発明のヘッドホンを耳に装着した際の前頭部側から見た斜視図である。図５は、本発明のヘッドホンを耳に装着した際の後頭部側から見た斜視図である。
【００１０】
図１に示すように、本発明のヘッドホン１は、携帯オーディオ端末等からの電気信号を音声に変換し放出するスピーカーユニット２が組み込まれたハウジング３と、ハウジング３の放音部側に取付けられ耳殻（ＺＫ）と接触するイヤーパッド４と、ハウジング３に取付けられたイヤーパッド４を耳殻（ＺＫ）に押当するため、耳殻の付け根部（ＺＴ）に沿うように湾曲した形状をしたイヤーハンガー５と、ハウジング３にイヤーハンガー５を連結する連結部６と、携帯オーディオ端末等からの電気信号をヘッドホン１に供給するコード７とからなる。
【００１１】
更に、イヤーハンガー５は、ヘッドホン1を耳に係止可能とする機能を持つ。
イヤーハンガー５の具体的な形状は、図１及び図２に示すように、連結部６のハウジング３との接続部に対して反対側の端部に接続され、そこから耳殻の付け根部（ＺＴ）の前頭部（ア），頭頂部（イ），後頭部（ウ），及び首近接部（エ）に沿うように、各部位に対応する前頭部（Ａ）、頭頂部（Ｂ），後頭部（Ｃ），及び首近接部（Ｄ）を有し、耳孔を取り囲むように湾曲状に形成されている。
【００１２】
また更に、イヤーハンガー５には、ツル８が収めることができる程度にえぐれた溝部９が、イヤーハンガー５の頭部に接する面に形成されている。
本実施例では、２ヶ所に溝が形成された場合を示しており、１ヶ所目は、イヤーハンガー５の前頭部（Ａ）と頭頂部（Ｂ）の間に形成された第１の溝部９ａであり、もう１ヶ所は、イヤーハンガー５の頭頂部（Ｂ）と後頭部（Ｃ）の間に形成された第２の溝部９ｂである。各溝部９の幅と深さは、装用する眼鏡のツルが十分に収まる形状になっている。本実施例では、第２の溝部９ｂは、ツル８が耳殻の付け根部（ＺＴ）の後頭部（Ｃ）側の湾曲に倣って曲がっているため、第１の溝部９ａに対し広い形状になっていると共に、後頭部（Ｃ）側に向けてその溝部９の開口が末広がりの形状に形成されている。
また更に、各溝部９における頭頂部（Ｂ）に近い側、すなわち、ハウジング３から遠い側の縁部には、ヘッドホンを装着した場合に、ツルを溝部９に収めたヘッドホンが容易に外れないようにするため、ハウジング３側に突出した突出部１０が形成されている。
【００１３】
また、ヘッドホン１のイヤーパッド４の耳殻（ＺＫ）への密着追従性によるヘッドホン１の装着感を向上させるため、ハウジング３とイヤーハンガー５とが連結部６を中心軸として離反した第１の状態から、近接した第２の状態へ回動する機構がハウジング３とイヤーハンガー５の接続部に設置（図示せず）されていると共に、眼鏡の有無に応じてハウジング３とイヤーハンガー５の位置関係を調整する機構が連結部６に設置（図示せず）されている。
【００１４】
上述のように構成したヘッドホン１を、図３乃至図５に示す状態に耳に装着するためには、次のような操作を行う。
まず、ハウジング３とイヤーハンガー５とが連結部６を中心軸として離反した第１の状態にしておく。
次に、イヤーハンガー５に形成された第１の溝部９ａ及び第２の溝部９ｂを頭部に装用された眼鏡のツル８に合わせ、ツル８に第１の溝部９ａ及び第２の溝部９ｂを遊嵌する。この際、第１の溝部９ａ及び第２の溝部９ｂに形成された突出部１０によって、ツル８からヘッドホン１が脱落しないように係止される。
【００１５】
更に、連結部６を軸としてハウジング３を耳殻（ＺＫ）の方向に回動させ、ハウジング３とイヤーハンガー５とが連結部６を中心軸として近接した第２の状態にすることによって、イヤーパッド４が耳部に対し適度な力で押し当てられるようにすると共に、ハウジング３と耳孔の位置関係が合うように、ハウジング３とイヤーハンガー５との位置関係の調整を行う。
【００１６】
以上、説明したように、頭部及び耳部への不快な圧迫を無くすため、イヤーハンガー５には、ツル８が収まるような形状をした溝部９が形成されていることに加え、溝部９のハウジング３から遠い側の開口部側には、溝部９に入ったツル８を係止するために、ハウジング３側に突出した突出部１０が形成されている。
これにより、眼鏡装用時に耳掛け式ヘッドホン１を装着した場合、耳掛け式ヘッドホン１がツル８に係止され、結果として、快適な聴取を長時間行うことができる。
また、本実施例においては、左耳用の耳掛け式ヘッドホンについて説明したが、左耳用と左右対称の形状である、右耳用の耳掛け式ヘッドホンについても同様にしてもよいことは勿論である。更に、右耳用と左耳用とがコードで繋がった両耳用のヘッドホンについても同様にしてもよいことは勿論である。
更に、ヘッドホン１のイヤーパッド４の耳殻（ＺＫ）への密着追従性によるヘッドホン１の装着感の向上の機構として、ハウジング３とイヤーハンガー５とが連結部６を中心軸として回動する機構としたが、回動機構を用いずに柔軟性のある樹脂製である連結部６及びイヤーハンガー５の撓りを利用することにより、イヤーパッド４を耳殻（ＺＫ）に押当する機構としてもよいことは勿論である。
【図面の簡単な説明】
【００１７】
【図１】本発明のヘッドホンの１実施例を示す外観図であり、図１(ａ)が正面図、図１(Ｂ)が左側面図、図１(ｃ)が右側面図である。
【図２】本発明のヘッドホンとツルとの関係を示す図である。
【図３】本発明のヘッドホンを耳に装着した際の頭部の側面から見た図である。
【図４】本発明のヘッドホンを耳に装着した際の前頭部側から見た斜視図である。
【図５】本発明のヘッドホンを耳に装着した際の後頭部側から見た斜視図である。
【符号の説明】
【００１８】
１…ヘッドホン  、２…スピーカーユニット、３…ハウジング、４…イヤーパッド、５…イヤーハンガー、６…連結部、７…コード、８…ツル、９…溝部、９ａ…第１の溝部、９ｂ…第２の溝部、１０…突出部、
【図１】
2009060348.tif 000003
【図２】
2009060348.tif 000004
【図３】
2009060348.tif 000005
【図４】
2009060348.tif 000006
【図５】
2009060348.tif 000007